(57)【要約】【課題】外部電源投入直後でも待機電力が安定する液晶表示装置および液晶テレビジョンの提供を目的とする。【解決手段】映像を上記画面に表示するオン設定と、映像を上記画面に表示せずに上記オン設定よりも消費電力を少なくした待機設定と、を切り替えて実行させることが可能な液晶表示装置および液晶テレビジョンにおいて、外部電源からの電力供給の開始直後に、所定時間上記バックライトを除いた装置全体を上記オン設定とした後、上記待機設定にて動作させる。【選択図】図３
2007194881.tif 000002
【特許請求の範囲】
【請求項１】
映像を画面に表示する液晶パネルと、
上記液晶パネルを背後から照射するバックライトと、
アンテナで受信されるテレビジョン放送信号から選択されているチャンネルのテレビジョン放送信号を抽出して出力するチューナ回路と、
上記チューナ回路が出力したテレビジョン放送信号に基づき、映像を上記液晶パネルに表示させる映像処理部と、
上記バックライトに電源を供給するインバータ回路と、
音声を出力するスピーカと、
音声を上記スピーカに出力させる音声処理部と、
を備える液晶テレビジョンにおいて、
入力された交流を直流に変換して出力する整流回路と、上記整流回路から直流が入力される一次側および上記一次側に誘起された直流を出力する二次側とにより構成されるスイッチングトランスと、上記二次側の負荷に応じてフィードバックされる信号に基づいて上記一次側をＰＷＭ制御する発振回路と、を備える電源回路と、
映像を上記画面に表示するオン設定と、映像を上記画面に表示せずに上記オン設定よりも消費電力を少なくした待機設定と、を切り替えて実行するマイコンと、
上記マイコンに上記オン設定と上記待機設定との切り替えを指示する操作入力手段と、
を備え、
上記電源回路に外部電源から電力供給が開始されると、上記整流回路にて整流平滑された直流が上記スイッチングトランスの一次側に供給され、上記二次側から電力供給が可能となり、上記電源回路は上記マイコンへの電力供給を開始し、
上記マイコンが上記液晶パネルと上記チューナ回路と上記映像処理部と上記音声処理部とをオン設定にて動作させると、上記電源回路は上記液晶パネルと上記チューナ回路と上記映像処理部と上記音声処理部とに電力供給を開始し、
上記マイコンは上記電源回路は上記液晶パネルと上記チューナ回路と上記映像処理部と上記音声処理部とへの電力供給開始から所定時間経過すると上記待機設定を実行させ、
上記電源回路は、上記待機設定においては上記スイッチングトランスのドライブ電圧が安定し、上記一次側の発振を間欠的に行う
ことを特徴とする液晶テレビジョン。
【請求項２】
映像を画面に表示する液晶パネルと、
上記液晶パネルを背後から照射するバックライトと、
映像を上記画面に表示するオン設定と、映像を上記画面に表示せずに上記オン設定よりも消費電力を少なくした待機設定と、を切り替えて実行させる切替実行手段と、
を備え、
外部電源からの電力供給が開始されると上記待機設定にて起動される液晶表示装置において、
外部電源からの電力供給が開始された直後に、上記バックライトを除く上記液晶表示装置を所定時間上記オン設定とした後、上記待機設定とすることを特徴とする液晶表示装置。
【請求項３】
一次側の入力電圧をトランスを介して所望の電圧に変換して二次側で出力する電源回路を備え、
上記電源回路は、上記二次側の負荷に応じて上記一次側の発振を制御し、上記待機設定においては上記一次側の発振を間欠的に行うことを特徴とする上記請求項２に記載の液晶表示装置。
【請求項４】
上記電源回路は、
入力された交流を直流に変換して出力する整流回路と、
上記整流回路から直流が入力される一次側および上記一次側に誘起された直流を出力する二次側とにより構成されるスイッチングトランスと、
上記二次側からフィードバックされる信号に基づいて上記一次側をＰＷＭ制御する発振回路と、
を備えることを特徴とする上記請求項２または上記請求項３に記載の液晶表示装置。
【請求項５】
上記バックライトに電源を供給するインバータ回路と、
音声を出力するスピーカと、
アンテナで受信されるテレビジョン放送信号から選択されているチャンネルのテレビジョン放送信号を抽出して出力するチューナ回路と、
上記チューナ回路が出力したテレビジョン放送信号に基づき、映像を上記液晶パネルに表示させる映像処理部と、
上記チューナ回路が出力したテレビジョン放送信号に基づき、音声を上記スピーカに出力させる音声処理部と、
を備え、
外部電源からの電力供給が開始された直後に、上記液晶パネルと上記インバータ回路と上記チューナ回路と上記映像処理部と上記音声処理部とを所定時間上記オン設定とした後、上記待機設定とすることを特徴とする上記請求項２〜請求項４のいずれかに記載の液晶表示装置。
【発明の詳細な説明】
【技術分野】
【０００１】
本発明は、一次側の入力電圧をトランスを介して所望の電圧に変換して二次側で出力する電源回路を搭載した液晶表示装置および液晶テレビジョンに関する。
【背景技術】
【０００２】
通常、液晶テレビジョンなどの液晶表示装置では、外部電源から電力が供給されないオフ設定と、外部電源から電力が供給されて映像を画面に表示するオン設定と、外部電源から電力が供給されつつ省電力でユーザの操作入力を待ち受ける待機設定とを備える。
【０００３】
ところで、液晶テレビジョンの待機電力は、電気機器の省電力化プログラムであるエナジースターにて、１Ｗ以下とすることが推奨されている。待機電力を低減させるには、様々なアプローチが考えられるが、その１つとして、電源トランスのドライブ電流は極力下げなければならない。
【０００４】
特許文献１には、マイクロコンピュータよりスタンバイ動作へと切り換える制御信号が入力されると、電源発振停止回路が電源のコントローラの制御端子に作用してトランスにパルスを供給するスイッチ素子の発振を一定期間停止させ、制御信号によってスイッチ回路が小信号回路への電圧の供給を遮断するテレビジョン受像機の電源回路について開示されている。
【特許文献１】特開平１０−２１０３８８号公報
【発明の開示】
【発明が解決しようとする課題】
【０００５】
しかしながら、外部電源から電力が投入された直後の待機状態では、電源回路の負荷がほぼマイコンだけとなる。電源回路には、一般に、スイッチング電源が使用されるが、電源回路にかかる負荷がマイコンのみだと電源回路にかかる負荷が少なく、トランスのリーケージインダクタンスのバラツキにより負荷が安定しない。すると、電源回路にはフィードバックがかかりドライブ電圧が低くなる。したがって、オン設定から待機設定へと移行する場合に比べ安定発振するまでに時間がかかり、電力が投入された直後３０秒〜１分の待機設定では、待機電力が０．１〜０．１５Ｗ高くなってしまうという課題があった。
【０００６】
また、近年、省電力のため、視聴していないときは外部電源のプラグを抜いたりメインスイッチを切ったりして、視聴の都度、外部電源を投入して待機設定を実行させるという使用方法を採るユーザが増える傾向がある。このような使用方法では、視聴の度に外部電源投入直後となり、カタログに記載された待機電力と実際の待機電力とが一致しない可能性が考えられる。
本発明は、上記課題にかんがみてなされたもので、外部電源投入直後でも待機電力が安定する液晶表示装置および液晶テレビジョンの提供を目的とする。
【課題を解決するための手段】
【０００７】
上記課題を解決するために、本発明の請求項１にかかる発明では、映像を画面に表示する液晶パネルと、上記液晶パネルを背後から照射するバックライトと、アンテナで受信されるテレビジョン放送信号から選択されているチャンネルのテレビジョン放送信号を抽出して出力するチューナ回路と、上記チューナ回路が出力したテレビジョン放送信号に基づき、映像を上記液晶パネルに表示させる映像処理部と、上記バックライトに電源を供給するインバータ回路と、音声を出力するスピーカと、音声を上記スピーカに出力させる音声処理部と、を備える液晶テレビジョンにおいて、入力された交流を直流に変換して出力する整流回路と、上記整流回路から直流が入力される一次側および上記一次側に誘起された直流を出力する二次側とにより構成されるスイッチングトランスと、上記二次側の負荷に応じてフィードバックされる信号に基づいて上記一次側をＰＷＭ制御する発振回路と、を備える電源回路と、映像を上記画面に表示するオン設定と、映像を上記画面に表示せずに上記オン設定よりも消費電力を少なくした待機設定と、を切り替えて実行するマイコンと、上記マイコンに上記オン設定と上記待機設定との切り替えを指示する操作入力手段と、を備え、上記電源回路に外部電源から電力供給が開始されると、上記整流回路にて整流平滑された直流が上記スイッチングトランスの一次側に供給され、上記二次側から電力供給が可能となり、上記電源回路は上記マイコンへの電力供給を開始し、上記マイコンが上記液晶パネルと上記チューナ回路と上記映像処理部と上記音声処理部とをオン設定にて動作させると、上記電源回路は上記液晶パネルと上記チューナ回路と上記映像処理部と上記音声処理部とに電力供給を開始し、上記マイコンは上記電源回路は上記液晶パネルと上記チューナ回路と上記映像処理部と上記音声処理部とへの電力供給開始から所定時間経過すると上記待機設定を実行させ、上記電源回路は、上記待機設定においては上記スイッチングトランスのドライブ電圧が安定し、上記一次側の発振を間欠的に行う構成としてある。
上記のように構成した請求項１にかかる発明においては、外部電源から上記電源回路に電力が供給されると、まず、上記マイコンに電力が供給される。すると上記マイコンは、上記液晶パネルと上記チューナ回路と上記映像処理部と上記音声処理部とをオン設定にて動作させ、所定時間経過後、上記待機設定を実行させる。
【０００８】
また、上記目的を達成するために、請求項２に記載の液晶表示装置では、映像を画面に表示する液晶パネルと、上記液晶パネルを背後から照射するバックライトと、映像を上記画面に表示するオン設定と、映像を上記画面に表示せずに上記オン設定よりも消費電力を少なくした待機設定と、を切り替えて実行させる切替実行手段と、を備え、外部電源からの電力供給が開始されると上記待機設定にて起動される液晶表示装置において、外部電源からの電力供給が開始された直後に、上記バックライトを除く上記液晶表示装置を所定時間上記オン設定とした後、上記待機設定とする構成としてある。
上記のように構成した請求項２にかかる発明において、上記液晶表示装置に電力が供給開始されると、所定時間上記バックライトを除いた装置全体を上記オン設定と同じ状態となり、所定時間経過後に待機設定となる。
【０００９】
そして、請求項３にかかる発明では、上記請求項２に記載の液晶表示装置において、一次側の入力電圧をトランスを介して所望の電圧に変換して二次側で出力する電源回路を備え、上記電源回路は、上記二次側の負荷に応じて上記一次側の発振を制御し、上記待機設定においては上記一次側の発振を間欠的に行う構成としてある。
上記のように構成した請求項３にかかる発明において、上記電源回路は一次側の入力電圧をトランスを介して所望の電圧に変換して二次側に出力するとともに、上記二次側の負荷に応じて上記一次側の発振を制御して所望の電圧が上記二次側に出力されるようにする。また待機設定においては上記一次側の発振を間欠的に行うことにより、消費電力を少なくしている。
【００１０】
さらに、請求項４にかかる発明では、上記請求項２または上記請求項３に記載の液晶表示装置において、上記電源回路は、入力された交流を直流に変換して出力する整流回路と、上記整流回路から直流が入力される一次側および上記一次側に誘起された直流を出力する二次側とにより構成されるスイッチングトランスと、上記二次側からフィードバックされる信号に基づいて上記一次側をＰＷＭ制御する発振回路と、を備える構成としてある。
上記のように構成した請求項４にかかる発明において、上記整流回路は入力された交流を直流に変換して出力して上記スイッチングトランスに入力し、上記スイッチングトランスは上記整流回路から直流が上記一次側に入力されて上記二次側に直流が出力され、上記発振回路が上記二次側からフィードバックされる信号に基づいて上記一次側をＰＷＭ制御する。
【００１１】
さらに、請求項５にかかる発明は、上記請求項２〜請求項４のいずれかに記載の液晶表示装置において、上記バックライトに電源を供給するインバータ回路と、音声を出力するスピーカと、アンテナで受信されるテレビジョン放送信号から選択されているチャンネルのテレビジョン放送信号を抽出して出力するチューナ回路と、上記チューナ回路が出力したテレビジョン放送信号に基づき、映像を上記液晶パネルに表示させる映像処理部と、上記チューナ回路が出力したテレビジョン放送信号に基づき、音声を上記スピーカに出力させる音声処理部と、を備え、外部電源からの電力供給が開始された直後に、上記液晶パネルと上記インバータ回路と上記チューナ回路と上記映像処理部と上記音声処理部とを所定時間上記オン設定とした後、上記待機設定とする構成としてある。
上記のように構成した請求項５にかかる発明において、上記チューナ回路がアンテナで受信されるテレビジョン放送信号から選択されているチャンネルのテレビジョン放送信号を抽出して出力し、上記映像処理部が上記チューナ回路が出力したテレビジョン放送信号に基づいて映像を上記液晶パネルに表示させる。また、上記音声処理部が上記チューナ回路から抽出して出力される音声信号に基づき音声を上記スピーカに出力させる。そして、上記液晶表示装置に電力が供給開始されると、所定時間、上記液晶パネルと上記インバータ回路と上記チューナ回路と上記映像処理部と上記音声処理部とに電力を供給して、映像を上記液晶パネルに表示させる為の処理を行わせることにより、上記電源回路の負荷とする。その際、バックライトには電力を供給せず、動作させない為、映像は画面に表示されない。
【発明の効果】
【００１２】
以上説明したように本発明の請求項２にかかる発明によれば、外部電源の供給開始直後でも、待機設定実行時の電源の安定化をすぐに図ることが可能な液晶表示装置を提供することができる。
【００１３】
また請求項３にかかる発明によれば、さらに待機設定実行時の消費電力を安定化させるとともに、消費電力を削減することが可能となる。
そして請求項４にかかる発明によれば、さらに待機設定実行時の消費電力を安定化させるとともに、消費電力を削減することが可能となる。
さらに請求項５にかかる発明によれば、さらに待機設定実行時の消費電力を安定化させるとともに、消費電力を削減することが可能となる。
さらに請求項１のような、より具体的な構成において、上述した請求項２〜請求項５の各発明と同様の作用を奏することはいうまでもない。
【発明を実施するための最良の形態】
【００１４】
以下、下記の順序に従って本発明の実施形態を説明する。
（１）液晶テレビジョンの構成：
（２）擬似Ｐ−ＯＮにおける電源回路の動作：
（３）まとめ：
【００１５】
（１）液晶テレビジョンの構成：
以下、本発明の一実施形態にかかる液晶テレビジョン１０について説明する。
【００１６】
図１は、本発明の実施形態にかかる液晶テレビジョン１０の概略構成をブロック図により示している。液晶テレビジョン１０は、概略、アンテナ１５ａの接続されたチューナ回路１５と、画像データ生成回路２０と、パネル駆動回路２５と、液晶モジュール３０と、電源回路３５と、マイコン４０と、インバータ回路４５と、音声処理部５０と、リモコン５６から送信されてきた操作コマンドを受信するリモコン受光部５５とからなる。以上よりリモコン５６が、ユーザからの操作入力を受け付ける上記操作入力手段を構成する。
【００１７】
マイコン４０は、リモコン受光部５５で受信した制御コマンドに応じて、電源のオン／スタンバイの切替、チャンネルの切換、音量のアップ／ダウン等を制御する。上記構成においてマイコン４０は、液晶テレビジョン１０を構成する各部と電気的に接続しており、マイコン４０内部の構成部品としてのＣＰＵが、同じくマイコン４０内の構成部品であるＲＯＭやＲＡＭなどに書き込まれた各プログラムに従って、液晶テレビジョン１０全体を制御する。なお、ＣＰＵやＲＯＭやＲＡＭについては図示を省略している。
【００１８】
チューナ回路１５は、マイコン４０の制御によりアンテナ１５ａよりテレビジョン放送信号を受信し、所定の信号増幅処理等を行いつつ、テレビジョン放送信号から中間周波信号としての映像信号や音声信号を抽出し、映像信号を画像データ生成回路２０へ出力する。画像データ生成回路２０は、入力された映像信号をその信号レベルに応じてデジタル信号化するとともに、映像信号から抽出した輝度信号と色差信号とに基づいてマトリクス変換処理を行ない、画像データとしてのＲＧＢ（レッド、グリーン、ブルー）信号を生成する。音声信号は、音声処理部５０を経て、図示しないスピーカーに出力される。
【００１９】
パネル駆動回路２５では、上記ＲＧＢ信号を入力するとともにＲＧＢ信号に対して液晶モジュール３０の画素数（横縦比、ｍ：ｎ）に合わせたスケーリング処理を行い、液晶モジュール３０に表示する１画面分の画像データを生成する。そして、このように生成された画像データを液晶モジュール３０に出力することにより、液晶モジュール３０に画像データに基づく画像表示をさせる。以上より、画像データ生成回路２０とパネル駆動回路２５とが上記映像処理部を構成する。
【００２０】
液晶モジュール３０は、内部に液晶パネル３０ａとバックライト３０ｂと制御回路３０ｃとを有する。制御回路３０ｃは画面表示の制御駆動処理を行う電子回路であり、パネル駆動回路２５より出力される画像データから色別にＲ用液晶パネル、Ｇ用液晶パネル、Ｂ用液晶パネルを駆動する電圧を生成する。バックライト３０ｂは、インバータ回路４５から高電圧が供給されて点灯し、生じた光が液晶パネル３０ａの背面から照射され、正面方向へ各色の液晶パネルを透過するようになっている。これにより、液晶モジュール３０は、画面から画像データに対応する映像、すなわち、映像信号に対応する映像を表示する。
【００２１】
電源回路３５は、外部電源３６（商用電源等）から電源電圧（交流）の供給を受けるとともに、同供給された電源電圧を、マイコン４０を始めインバータ回路４５等、各回路へ供給する。電源回路３５は、必要に応じて各回路へ供給する電圧を交流から直流へと変換する。
インバータ回路４５は、電源回路３５から供給された直流電圧を交流電圧に変換し、駆動信号としての当該交流電圧をバックライト３０ｂに供給し、バックライト３０ｂを点灯させる。
【００２２】
図２に電源供給にかかる概略構成をブロック図にて示した。電源回路３５は、概略、整流回路３５ａとスイッチングトランス３５ｂとフィードバック回路３５ｃと発振回路３５ｄとから構成されるスイッチング電源である。スイッチングトランス３５ｂより出力される直流は、各部４０、２０、５０、２５、４５、３０ｃ、３０ａなどに供給される。
【００２３】
整流回路３５ａは、整流用ダイオードや平滑用コンデンサ等で構成され、外部電源３６から入力される交流を直流に変換して出力する。
スイッチングトランス３５ｂは、互いに絶縁された一次コイルと二次コイルとを備え、一次コイルを備えて整流回路３５ａから直流が入力される一次側と、二次コイルを備えて同一次側に誘起された直流を出力する二次側とで構成される。上記一次側には、整流回路３５ｂより直流が入力されるとともに後述する発振回路３５ｄと接続されてＰＷＭ制御され、再整流・平滑された直流が上記二次側に出力される。
【００２４】
フィードバック回路３５ｃは、上記二次側からの出力電圧、あるいは出力電流の検出比較を行い、上記二次側からの出力を一定にするように発振回路３５ｄに上記一次側をオンオフさせる制御を行っている。
発振回路３５ｄは、上記一次側をＰＷＭ制御して、スイッチングトランス３５ｂの一次コイルに流れる電流をパルス状とする。
【００２５】
本実施形態において、電源回路３５の出力端子は、バックライトスイッチ６０を介してインバータ回路４５に接続される。当該バックライトスイッチ６０は、マイコン４０の制御により、インバータ回路４５と電源回路３５との接続／切断を切り替える。
【００２６】
（２）擬似Ｐ−ＯＮ設定における電源回路の動作：
本実施例における液晶テレビジョン１０は、電源回路３５に外部電源３６から電力供給が開始されると、まず、マイコン４０に電力供給される。そして、マイコン４０は、映像を画面に表示せず、リモコン５６からオン設定の実行を指示する操作入力をリモコン受光部５５が受信するのを待ち受ける待機設定を実行する（スタンバイ）。
【００２７】
待機設定では、マイコン４０以外の各部には電力を消費しない、もしくはほとんど消費しない。つまり、待機設定における電源回路３５の負荷は、ほぼマイコン４０のみである。このとき、電源回路３５は、上記一次側の発振を間欠的に行う。
【００２８】
マイコン４０は、常にリモコン受光部５５を監視しており、待機設定においてリモコン受光部５５がリモコン５６より電源オンを指示する操作入力を表す信号を受信すると、当該操作入力を受け付け、映像を画面に表示するオン設定を実行する。また、オン設定においてリモコン受光部５５がリモコン５６から電源オフを指示する操作入力を表す信号を受信すると、当該操作入力を受け付け、映像を画面に表示させない待機設定を実行する。
【００２９】
以上より、待機設定実行中にリモコン５６から操作入力を受け付けてオン設定を実行するマイコン４０と、音声ってい実行中にリモコン５６から操作入力を受け付けて待機設定を実行するマイコン４０とが、映像を上記画面に表示するオン設定と、映像を上記画面に表示せずに上記オン設定よりも消費電力を少なくした待機設定と、を切り替えて実行させる上記切替実行手段を構成する。
【００３０】
さらに、本発明においては、外部電源３６からの電力供給が開始された直後に、擬似Ｐ−ＯＮ設定を実行してから待機設定を実行する。上述したように、待機設定ではほぼマイコン４０のみが電力を消費するが、当該擬似Ｐ−ＯＮ設定では、所定時間マイコン４０以外の各部（バックライト３０ｂおよびインバータ回路４５を除く）にオン設定と同様の動作を行わせる。すなわち、マイコン４０以外の各部（バックライト３０ｂおよびインバータ回路４５を除く）も電力を消費するため、電源回路３５の負荷が増加し、スイッチングトランス３５ｂのドライブ電圧が安定する。
【００３１】
以下、図３を参照してＡＣ投入直後の電源回路３５の動作とマイコン４０の処理とを関連付けて説明する。同図には、ＡＣ投入直後の電源回路３５の状態およびマイコン４０の処理をフローチャートにて示してある。
【００３２】
ユーザが電源プラグを商用電源のコンセントに差込んだりメインスイッチを押し込み操作したりして、電源回路３５に外部電源３６から電力供給が開始されると、整流回路３５ａにて整流平滑された直流がスイッチングトランス３５ｂの一次側に供給され、二次側から液晶テレビジョン１０の各部に電力を供給可能となる（ステップＳ１０）。
【００３３】
次に、電源回路３５はマイコン４０への電力供給を開始する（ステップＳ１２）。するとマイコン４０が起動され、擬似Ｐ−ＯＮ設定を実行するプログラムが実行される。このプログラムは、マイコン４０に電力供給が開始されると毎回実行されるものとする。当該プログラムが実行されるとマイコン４０は、画像データ生成回路２０と音声処理部５０とパネル駆動回路２５と制御回路３０ｃと液晶パネル３０ａとにオン設定と同じ動作を指示するとともに、バックライトスイッチ６０をオフとする制御信号を出力し、インバータ回路４５がバックライト３０ｂに電力供給しないようにする（ステップＳ２０）。
【００３４】
ステップＳ２０にて、マイコン４０が各部（バックライト３０ｂおよびインバータ回路４５を除く）に電源オン時と同様の動作を指示すると、電源回路３５は同各部に電力供給を開始する（ステップＳ１４）。このとき、液晶パネル３０ａや制御回路３０ｃは、パネル駆動回路２５より出力される映像データにしたがって動作するので、液晶パネル３０ａの液晶は映像データに応じて開口されている。しかし、バックライト３０ｂには、電力が供給されない為、画面には何も表示されない。
【００３５】
一方、ステップＳ２０実行後、マイコン４０はステップＳ２０実行からの経過時間を計測し、所定の時間経過したか否かを判断する（ステップＳ２２）。所定時間経過すると条件成立としてステップＳ２４に進み、所定時間経過してないときはステップＳ２２を繰り返す。当該所定時間としては、スイッチングトランス３５ｂのドライブ電圧が安定するまでの時間であればよく、任意の時間を設定可能である。本実施例においては２〜３秒とする。上記所定時間が経過すると、スイッチングトランス３５ｂのドライブ電圧が安定する（ステップＳ１６）。
【００３６】
所定時間が経過するまでの２〜３秒は、消費電力が上昇する。すなわち、擬似Ｐ−ＯＮ設定の消費電力は、待機設定の消費電力よりも多く、オン設定の消費電力よりも少ない。
【００３７】
そして、ステップＳ２４で、マイコン４０は、画像データ生成回路２０と音声処理部５０とパネル駆動回路２５と制御回路３０ｃと液晶パネル３０ａとに待機設定を指示し、擬似Ｐ−ＯＮ設定を実行するプログラムを終了する。同時に、電源回路３５の負荷もほぼマイコンのみとなり、電源回路３５も待機設定となる。したがって、電源回路３５は、負荷をマイコン４０のみとしつつ、ドライブ電圧が安定している為、安定発振する。
【００３８】
（３）まとめ：
つまり、映像を上記画面に表示するオン設定と、映像を上記画面に表示せずに上記オン設定よりも消費電力を少なくした待機設定と、を切り替えて実行させることが可能な液晶表示装置および液晶テレビジョンにおいて、外部電源からの電力供給の開始直後に、所定時間上記バックライトを除いた装置全体を上記オン設定とした後、上記待機設定にて動作させる。
【００３９】
以上説明したように、本実施例に対応する請求項２にかかる液晶表示装置では、映像を画面に表示する液晶パネルと、上記液晶パネルを背後から照射するバックライトと、映像を上記画面に表示するオン設定と、映像を上記画面に表示せずに上記オン設定よりも消費電力を少なくした待機設定と、を切り替えて実行させる切替実行手段と、を備え、外部電源からの電力供給が開始されると上記待機設定にて起動される液晶表示装置において、外部電源からの電力供給が開始された直後に、上記バックライトを除く上記液晶表示装置を所定時間上記オン設定とした後、上記待機設定とする構成としてある。
つまり、上記液晶表示装置に電力が供給開始されると、所定時間上記バックライトを除いた装置全体を上記オン設定と同じ状態となり、所定時間経過後に待機設定となる。
上記のように構成した請求項２に記載の発明においては、外部電源の供給開始直後でも、待機設定実行時の電源がの安定化をすぐに図ることが可能な液晶表示装置を提供することができる。
【００４０】
そして、請求項３にかかる発明では、上記請求項２に記載の液晶表示装置において、一次側の入力電圧をトランスを介して所望の電圧に変換して二次側で出力する電源回路を備え、上記電源回路は、上記二次側の負荷に応じて上記一次側の発振を制御し、上記待機設定においては上記一次側の発振を間欠的に行う構成としてある。
つまり、上記電源回路は一次側の入力電圧をトランスを介して所望の電圧に変換して二次側に出力するとともに、上記二次側の負荷に応じて上記一次側の発振を制御して所望の電圧が上記二次側に出力されるようにする。また待機設定においては上記一次側の発振を間欠的に行うことにより、消費電力を少なくしている。
上記のように構成した請求項３に記載の発明においては、さらに待機設定実行時の消費電力を安定化させるとともに、消費電力を削減することが可能となる。
【００４１】
さらに、請求項４にかかる発明では、上記請求項２または上記請求項３に記載の液晶表示装置において、上記電源回路は、入力された交流を直流に変換して出力する整流回路と、上記整流回路から直流が入力される一次側および上記一次側に誘起された直流を出力する二次側とにより構成されるスイッチングトランスと、上記二次側からフィードバックされる信号に基づいて上記一次側をＰＷＭ制御する発振回路と、を備える構成としてある。
つまり、上記整流回路は入力された交流を直流に変換して出力して上記スイッチングトランスに入力し、上記スイッチングトランスは上記整流回路から直流が上記一次側に入力されて上記二次側に直流が出力され、上記発振回路が上記二次側からフィードバックされる信号に基づいて上記一次側をＰＷＭ制御する。
上記のように構成した請求項４に記載の発明においては、さらに待機設定実行時の消費電力を安定化させるとともに、消費電力を削減することが可能となる。
【００４２】
さらに、請求項５にかかる発明は、上記請求項２〜請求項４のいずれかに記載の液晶表示装置において、上記バックライトに電源を供給するインバータ回路と、音声を出力するスピーカと、アンテナで受信されるテレビジョン放送信号から選択されているチャンネルのテレビジョン放送信号を抽出して出力するチューナ回路と、上記チューナ回路が出力したテレビジョン放送信号に基づき、映像を上記液晶パネルに表示させる映像処理部と、上記チューナ回路が出力したテレビジョン放送信号に基づき、音声を上記スピーカに出力させる音声処理部と、を備え、外部電源からの電力供給が開始された直後に、上記液晶パネルと上記インバータ回路と上記チューナ回路と上記映像処理部と上記音声処理部とを所定時間上記オン設定とした後、上記待機設定とする構成としてある。
つまり、上記チューナ回路がアンテナで受信されるテレビジョン放送信号から選択されているチャンネルのテレビジョン放送信号を抽出して出力し、上記映像処理部が上記チューナ回路が出力したテレビジョン放送信号に基づいて映像を上記液晶パネルに表示させる。また、上記音声処理部が上記チューナ回路から抽出して出力される音声信号に基づき音声を上記スピーカに出力させる。そして、上記液晶表示装置に電力が供給開始されると、所定時間、上記液晶パネルと上記インバータ回路と上記チューナ回路と上記映像処理部と上記音声処理部とに電力を供給して、映像を上記液晶パネルに表示させる為の処理を行わせることにより、上記電源回路の負荷とする。その際、バックライトには電力を供給せず、動作させない為、映像が画面に表示されることは無い。
上記のように構成した請求項５に記載の発明においては、さらに待機設定実行時の消費電力を安定化させるとともに、消費電力を削減することが可能となる。
【００４３】
以上の構成を踏まえた上で、請求項１の発明は、映像を画面に表示する液晶パネルと、上記液晶パネルを背後から照射するバックライトと、アンテナで受信されるテレビジョン放送信号から選択されているチャンネルのテレビジョン放送信号を抽出して出力するチューナ回路と、上記チューナ回路が出力したテレビジョン放送信号に基づき、映像を上記液晶パネルに表示させる映像処理部と、上記バックライトに電源を供給するインバータ回路と、音声を出力するスピーカと、音声を上記スピーカに出力させる音声処理部と、を備える液晶テレビジョンにおいて、入力された交流を直流に変換して出力する整流回路と、上記整流回路から直流が入力される一次側および上記一次側に誘起された直流を出力する二次側とにより構成されるスイッチングトランスと、上記二次側の負荷に応じてフィードバックされる信号に基づいて上記一次側をＰＷＭ制御する発振回路と、を備える電源回路と、映像を上記画面に表示するオン設定と、映像を上記画面に表示せずに上記オン設定よりも消費電力を少なくした待機設定と、を切り替えて実行するマイコンと、上記マイコンに上記オン設定と上記待機設定との切り替えを指示する操作入力手段と、を備え、上記電源回路に外部電源から電力供給が開始されると、上記整流回路にて整流平滑された直流が上記スイッチングトランスの一次側に供給され、上記二次側から電力供給が可能となり、上記電源回路は上記マイコンへの電力供給を開始し、上記マイコンが上記液晶パネルと上記チューナ回路と上記映像処理部と上記音声処理部とをオン設定にて動作させると、上記電源回路は上記液晶パネルと上記チューナ回路と上記映像処理部と上記音声処理部とに電力供給を開始し、上記マイコンは上記電源回路は上記液晶パネルと上記チューナ回路と上記映像処理部と上記音声処理部とへの電力供給開始から所定時間経過すると上記待機設定を実行させ、上記電源回路は、上記待機設定においては上記スイッチングトランスのドライブ電圧が安定し、上記一次側の発振を間欠的に行う構成としてある。
【００４４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４５】
【図１】本実施例にかかる液晶テレビジョンの概略構成ブロック図である。
【図２】電源供給にかかる概略構成ブロック図である。
【図３】ＡＣ投入直後の電源回路の状態およびマイコンの処理を示すフローチャートである。
【符号の説明】
【００４６】
１０  …液晶テレビジョン
１５ａ…アンテナ
２０  …画像データ生成回路
３０  …液晶モジュール
３０ａ…液晶パネル
３０ｃ…制御回路
３５ｂ…スイッチングトランス
３５ｂ…整流回路
３５ｄ…発振回路
４０  …マイコン
４５  …インバータ回路
５０  …音声処理部
５５  …リモコン受光部
【図１】
2007194881.tif 000003
【図２】
2007194881.tif 000004
【図３】
2007194881.tif 000005